(57)【要約】【課題】サイフォン現象を抑制するために常時開口する空気導入口を流路に備えてなるポンプにおいて、空気導入口から漏れ出た灯油が周囲や使用者の手を汚すことを防止する。【解決手段】吸引パイプ２０の上端近傍に、灯油の流路に空気を導入する空気導入口２１を設けるとともに、吸引パイプ２０の長手方向に沿ってカバー部材２５を取り付ける。吸引パイプ２０とカバー部材２５との間に形成される排液流路を通して、空気導入口２１から、吸引パイプの下方位置の排出口２２まで灯油を導く。【選択図】図５
0003133226.tif 000002
【実用新案登録請求の範囲】
【請求項１】
スクリューを内蔵した吸引パイプ（２０）を備えたポンプ本体（１０）に供給ホース（３０）を取り付け、ポンプ本体（１０）内の電池でスクリューを駆動し、
吸引パイプ（２０）から供給ホース（３０）へと至る流路を通して流体を運ぶポンプにおいて、
吸引パイプ（２０）の上端近傍に、上記流路に空気を導入する空気導入口（２１）を設けるとともに、
吸引パイプ（２０）の長手方向に沿ってカバー部材（２５）を取り付けることで、当該吸引パイプ（２０）とカバー部材（２５）の間に、上記空気導入口（２１）から、吸引パイプの下方位置の排出口（２２）に至る排液流路（２８）を形成したことを特徴とする、ポンプ。
【請求項２】
上記空気導入口（２１）は、吸引パイプ（２０）の周壁から外方または内方に突出する隆起部（５１、５２）の斜面に形成されていて、吸引パイプの下方位置に向かって開口していることを特徴とする、請求項１記載のポンプ。
【考案の詳細な説明】
【技術分野】
【０００１】
本考案は、例えば、ポリタンクから家庭用石油ストーブに灯油を供給する際に使用するポンプに関する。
【背景技術】
【０００２】
ポリタンク内に挿入したパイプ材と、石油ストーブのタンクに至るホースとを連結し、パイプ材の先端に設けたスクリューを回転させて給油を行う電動式ポンプは、従来から種々提供されている。
一般的に、ポンプを使った給油作業には、サイフォン現象という問題が伴う。一旦給油を開始した後にサイフォン現象が生じると、電源を切ってスクリューを停止させても灯油の流れが止まらなくなる。
【０００３】
サイフォン現象は、電動式ポンプに限らず手動式ポンプにおいても見られる現象で、手動式ポンプにおいては、パイプ材からホースへと続く流路の途中に設けた開閉可能な空気導入口を手動で開く等して、流路内に空気を送り込み、これにより灯油の流れを停止させている。
【０００４】
電動式ポンプでは、空気の導入を手動で行ったのではポンプ自体を電動式とした意味が薄れるので、スクリューを停止させた後で、流路に自動的に空気を送り込むための工夫が必要となる。
【０００５】
特開２００１−１６５０８４号公報に開示されたポンプにおいては、ポンプ本体と吸液パイプとの接続部に空気取入口を設けている。この空気取入口は常時開口しているので、手動による開閉操作は必要ないが、常時開口しているが故に、当該開口から灯油が漏れ出してしまう。
一方、吸液パイプの周面に凹状の溝が設けられていて、漏れ出た灯油は、この凹状溝を伝って吸液パイプの下方へと導かれる。
【考案の開示】
【考案が解決しようとする課題】
【０００６】
しかしながら、上記公開公報では、漏れ出た灯油が吸液パイプの外周面に設けた溝を伝って流れるので、この灯油が周囲を汚したり、使用者がパイプを持った場合に手を汚すといった問題が残る。
【課題を解決するための手段】
【０００７】
本考案は、そのような不都合を解消すべく創案されたもので、以下の特徴を備えたポンプを提供する。
本考案のポンプは、スクリューを内蔵した吸引パイプを備えたポンプ本体に供給ホースを取り付け、ポンプ本体内の電池でスクリューを駆動し、吸引パイプから供給ホースへと至る流路を通して流体を運ぶポンプである。
吸引パイプの上端近傍に、上記流路に空気を導入する空気導入口を設けるとともに、吸引パイプの長手方向に沿ってカバー部材を取り付けることで、当該吸引パイプとカバー部材の間に、空気導入口から、吸引パイプの下方位置の排出口に至る排液流路を形成したことを特徴としている。
【考案の効果】
【０００８】
上記構成を備えた本考案のポンプにおいては、サイフォン現象を抑制するために流路に常時開口する空気導入口を設けているが、この空気導入口から漏れ出た灯油は、吸引パイプとカバー部材の間に形成された排液流路を通って下方に流れ、排出口から排出される。そして、排液流路は、カバー部材の内側にあって外部から遮蔽されているので、排液流路を流れる灯油が周囲や使用者の手を汚すことがない。
【考案を実施するための最良の形態】
【０００９】
本考案の実施形態を添付の図面を参照して、以下に詳細に説明する。図１は一実施形態に係る電動灯油ポンプ１の正面図を、図２はその分解図を、それぞれ示している。
【００１０】
電動灯油ポンプ１は、例えば、灯油の入ったポリタンクに吸引パイプ２０を差し込み、一方、供給ホース３０を石油ストーブの燃料タンクに差し込んで、ポリタンク内の灯油を燃料タンクに給油する。
【００１１】
吸引パイプ２０と供給ホース３０は、連結部材４０で連結されて、この連結部材４０がポンプ本体１０内に収容される。すなわち、図２の分解図に示したように、ポンプ本体１０は、２つの分割片１０ａ、１０ｂから構成されている。分割片１０ａは外面側を図示していて、分割片１０ｂは内面側を図示している。そして、連結部材４０は、２つの分割片１０ａ、１０ｂに挟み込まれるようにして、ポンプ本体１０内に収容される。
図３は、組立後における電動ポンプ１の斜視図を示している（ただし、供給ホース３０の図示は省略している）。
【００１２】
吸引パイプ２０は、その上端が連結部材４０の下連結部４１に連結され、供給ホース３０はその一端が連結部材４０の横連結部４２に連結され、これにより、吸引パイプ２０から供給ホース３０へと至る流路を構成している。
【００１３】
吸引パイプ２０はその先端部２０ａの内部にスクリュー（不図示）を備えており、このスクリューが回転することにより、灯油の流れを生じさせる。ポンプ本体１０内には、連結部材４０の上方位置に乾電池（不図示）が収容されて、これにより、スクリューが駆動される。
乾電池とスクリューは、吸引パイプ２０内に配設したコードによって電気接続される。ポンプ本体１０の側面（分割片１０ａ）には、スクリューのオン・オフを操作するスライド式のスイッチ１１が配置され、その反対側（分割片１０ｂ）には、電池蓋１２が配置される（図２）。
【００１４】
本考案の特徴は、吸引パイプ２０の側面にカバー部材２５を設け、この吸引パイプ２０とカバー部材２５との間に排液流路２８を構成した点にある。図４はこれを説明する断面図である。
図４（ａ）は、図１中の４ａ−４ａ線断面図であって、吸引パイプ２０の側面にカバー部材２５を取り付けた状態を示している。図４（ｂ）は、図２中の４ｂ−４ｂ線断面図であって、吸引パイプ２０からカバー部材２５を外した状態を示している。
【００１５】
吸引パイプ２０は、ブロー成形された筒状の部材であって、その側面に畝部２７が形成されており、当該畝部２７の両側に凹部２７ａ、２７ａが形成されている。一方、カバー部材２５は、射出成形された円弧状断面の細長い部材であって、その裏面から２本の脚部２５ａ、２５ａが突出している。
脚部２５ａ、２５ａが凹部２７ａ、２７ａ内に弾性係合することで、吸引パイプ２０の側面にカバー部材２５が固定され、両者の間には、吸引パイプ２０の長手方向に沿って延在する排液流路２８が形成される（図４（ａ））。
【００１６】
排液流路２８は、次に説明する通り、吸引パイプ２０上端近傍の空気導入口２１から、吸引パイプ２０下方位置の排出口２２に至る流路である。
【００１７】
図５（ａ）は、カバー部材２５を取り外した状態の吸引パイプ２０を、畝部２７を正面側に向けて示したものである。
図中に一部拡大して示したように、吸引パイプ２０の上端近傍において、畝部２７に空気導入口２１を形成している。空気導入口２１は、スイッチ１１をオフにして給油を停止する場合に、流路内に空気を導入してサイフォン現象を抑制するために設けられたものであるが、常時開口しているために、ここから灯油が漏れ出す。
【００１８】
なお、空気導入口２１から流路内に入る空気は、主として、次の経路を通って外部から引き込まれる。すなわち、例えば図５（ａ）において、カバー部材２５の上端部２５ｂの位置を、畝部２７の上端部２７ｂの位置よりもやや下方にズラすことで、カバー部材２５を吸引パイプ２０に固定した場合に当該上端部に隙間（不図示）が生じるように構成する。あるいは、カバー部材２５の上端部２５ｂに切欠きを設けることで、同様の隙間（不図示）を構成する。このようにして構成した隙間を通して引き込まれた外部の空気が空気導入口２１から流路内に導入される。
【００１９】
本考案では、漏れ出た灯油の流路をカバー部材２５で覆って、灯油が周囲を汚したり、使用者の手を汚すことのないように構成している。
【００２０】
図５（ｂ）は、図５（ａ）の状態から、カバー部材２５を吸引パイプ２０の側面に取り付けた状態を示している。
カバー部材２５を吸引パイプ２０に取り付けると、カバー部材２５の下端と吸引パイプ２０との間に開口（隙間）２２が生じることとなるように、カバー部材２５および吸引パイプ２０の物理的形状を適宜定める（開口が生じるものであれば、どのような形状であってもよい）。
この開口２２が漏れ出た灯油の排出口２２として機能する。
【００２１】
すなわち、空気導入口２１から漏れ出た灯油は、吸引パイプ２０とカバー部材２５の間に形成された排液流路２８を通って下方に流れ、排出口２２から排出される。そして、排液流路２８は、カバー部材２５の内側にあって外部から遮蔽されているので、排液流路２８を流れる灯油が周囲や使用者の手を汚すことを防止できる。
【００２２】
空気導入口２１は、流路内に空気を採り入れることができる開口であれば、どのような形態であってもよいが、図６に示したように、吸引パイプの下方位置に向かって開口していることが好ましい。
図６（ａ）では、吸引パイプ２０の周壁から外方に突出するドーム状の隆起部５１が形成されており、その下方側の斜面に開口が形成されている。また、図６（ｂ）では、吸引パイプ２０の周壁から内方に突出するドーム状の隆起部５２が形成されており、その上方側の斜面に開口が形成されている。
図６（ａ）、（ｂ）いずれの例においても、開口が下方側を向いているため、矢印で示したように、漏れ出た灯油が下方に向かってスムーズに流れるというメリットがある。
【００２３】
また、開口が下方側を向いていると、空気導入口２１から灯油が勢いよく漏れ出た場合であっても、灯油が上方向に向かうことはない。つまり、図５（ａ）中カバー部材２５の上端部２５ｂに設けた不図示の上記隙間（外部の空気を空気導入口２１に向けて取り入れるために設けた隙間）から灯油が飛び出す、といった不都合も生じない。
【図面の簡単な説明】
【００２４】
【図１】本考案の一実施形態に係る電動灯油ポンプの正面図。
【図２】図１の電動灯油ポンプの分解図。
【図３】図１の電動灯油ポンプの組立斜視図（供給ホースは省略）。
【図４】図１中の４ａ−４ａ線断面図および図２中の４ｂ−４ｂ線断面図。
【図５】図１の電動灯油ポンプにおける吸引パイプとカバー部材を、取付け状態および取外し状態で示す図。
【図６】空気導入口の例を説明する断面図。
【符号の説明】
【００２５】
１  電動灯油ポンプ
１０  ポンプ本体
１０ａ、１０ｂ  分割片
１１  スイッチ
１２  電池蓋
２０  吸引パイプ
２０ａ  吸引パイプの先端部
２１  空気導入口
２２  排出口
２５  カバー部材
２５ａ  脚部
２５ｂ  カバー部材の上端部
２７  畝部
２７ａ  凹部
２７ｂ  畝部の上端部
２８  排液流路
３０  供給ホース
４０  連結部材
４１  下連結部
４２  横連結部
５１  外方に突出する隆起部
５２  内方に突出する隆起部
【図１】
0003133226.tif 000003
【図２】
0003133226.tif 000004
【図３】
0003133226.tif 000005
【図４】
0003133226.tif 000006
【図５】
0003133226.tif 000007
【図６】
0003133226.tif 000008